(57)【要約】      （修正有）【課題】切込みを入れて曲げ易いようにするとともに、ズレ止め機能を加えた湾曲パイプを提供する。【解決手段】曲げ変形可能な材料によって構成されたパイプ本体３に、易曲げ構造として、周方向に延びる複数の切込み部５が形成されており、切込み端の間の連携部が、湾曲したときに伸長側にくるようになっている。収縮側の切込み縁１１にはズレ止め用係合部１３として凸部１５と凹部１７が設けられ、湾曲させると、切込み部が閉じられてズレ止め用係合部が係合状態になる。【選択図】図１
0003212209.tif 000002
【実用新案登録請求の範囲】
【請求項１】
曲げ変形可能な材料によって構成されたパイプ本体に、
易曲げ構造として、前記パイプ本体に形成され周方向に延びる複数の切込み部と、各切込み部の一対の切込み端の間に存在する連携部と、各切込み部の軸方向で対向する切込み縁の一方に係合要素が他方に被係合要素が設けられたズレ止め用係合部とを備え、
複数の連携部は軸方向に整列し、複数のズレ止め用係合部は前記複数の連携部と径方向反対側で軸方向に整列しており、
前記パイプ本体を前記複数の連携部が伸長側に前記複数のズレ止め用係合部が収縮側になる方向で湾曲させると、前記複数の切込み部が閉じられて前記ズレ止め用係合部が係合状態になることを特徴とする湾曲パイプ。
【請求項２】
請求項１に記載した湾曲パイプにおいて、
ズレ止め用係合部は軸方向に突出した凸部と、軸方向に窪んだ凹部とで構成されていることを特徴とする湾曲パイプ。
【請求項３】
請求項２に記載した湾曲パイプにおいて、
ズレ止め用係合部の凸部は切込み縁から舌状に延出した延出片で構成され、凹部は切込み縁から内方に向かって切欠いた切欠き部で構成されていることを特徴とする湾曲パイプ。
【請求項４】
請求項１から３のいずれかに記載した湾曲パイプにおいて、
切込み部の軸方向の寸法はパイプ部材の所望の湾曲角度に合せて収縮側が伸長側より大きく設計されていることを特徴とする湾曲パイプ。
【考案の詳細な説明】
【技術分野】
【０００１】
本考案は階段の手摺りの湾曲部分を構成するコーナー具等に用いることができる湾曲パイプに関するものである。
【背景技術】
【０００２】
湾曲部分を構成するコーナー具には、例えば特許文献１に示されたものがある。このものは硬質パイプと硬質パイプとの間に、これらと略同径で且つ曲げ変形時において外形状がほとんど潰れないコイルバネから成る筒状物を介在させて一体化し、硬質パイプ及び筒状物に弾力性を有する弾性層で被覆して成り、筒状物の中心線上の伸びを抑えるべく硬質相互間に伸びにくいワイヤーから成る線状体を張ってある。
【先行技術文献】
【特許文献】
【０００３】
【特許文献１】特開２００４−６０１５０号公報
【特許文献２】実用新案登録第３１９９８１０号公報
【考案の概要】
【考案が解決しようとする課題】
【０００４】
しかしながら、上記従来の手摺りのコーナー具は湾曲部分にコイルバネやワイヤー等を備え、しかも、その構造がかなり複雑であるため製作コストが高いという問題がある。
そこで、本考案者は、先に、特許文献２として、パイプ本体に複数の切欠き部を形成した湾曲パイプを提案した。この湾曲パイプによれば、切欠きの大きさを変更するだけで種々の角度での湾曲を可能としている。
【０００５】
特許文献２の湾曲パイプは構造が簡単で製作コストを低く抑えることが可能であるが、パイプ本体に切欠き部等の欠落部分が有るため、大きなねじりの力を受けるとズレて変形する可能性がある。
そこで、本考案は、更にその湾曲パイプを進化させて、ズレ止めの機能を備えた新規且つ有用な湾曲パイプを提供することを、その目的とする。
【課題を解決するための手段】
【０００６】
本考案は上記課題を解決するためになされたものであり、請求項１の考案は、曲げ変形可能な材料によって構成されたパイプ本体に、易曲げ構造として、前記パイプ本体に形成され周方向に延びる複数の切込み部と、各切込み部の一対の切込み端の間に存在する連携部と、各切込み部の軸方向で対向する切込み縁の一方に係合要素が他方に被係合要素が設けられたズレ止め用係合部とを備え、複数の連携部は軸方向に整列し、複数のズレ止め用係合部は前記複数の連携部と径方向反対側で軸方向に整列しており、前記パイプ本体を前記複数の連携部が伸長側に前記複数のズレ止め用係合部が収縮側になる方向で湾曲させると、前記複数の切込み部が閉じられて前記ズレ止め用係合部が係合状態になることを特徴とする湾曲パイプである。
【０００７】
請求項２の考案は、請求項１に記載した湾曲パイプにおいて、ズレ止め用係合部は軸方向に突出した凸部と、軸方向に窪んだ凹部とで構成されていることを特徴とする湾曲パイプである。
【０００８】
請求項３の考案は、請求項２に記載した湾曲パイプにおいて、ズレ止め用係合部の凸部は切込み縁から舌状に延出した延出片で構成され、凹部は切込み縁から内方に向かって切欠いた切欠き部で構成されていることを特徴とする湾曲パイプである。
【０００９】
請求項４の考案は、請求項１から３のいずれかに記載した湾曲パイプにおいて、切込み部の軸方向の寸法はパイプ部材の所望の湾曲角度に合せて収縮側が伸長側より大きく設計されていることを特徴とする湾曲パイプである。
【考案の効果】
【００１０】
本考案の湾曲パイプは、構造が簡単で製作コストを低く抑えることが可能となる上に、ズレ止め機能が追加されている。
【図面の簡単な説明】
【００１１】
【図１】本考案の実施の形態に係る湾曲パイプの湾曲前の平面図である。
【図２】図１の湾曲パイプの正面図である。
【図３】図１の湾曲パイプの背面図である。
【図４】本考案の実施の形態に係る湾曲パイプの湾曲状態を示す平面図である。
【図５】図４の湾曲パイプの斜視図である。
【図６】図５とは別の方向から見た湾曲パイプの斜視図である。
【図７】図４の湾曲パイプを手摺りのコーナー具として使用した例を示す。
【考案を実施するための形態】
【００１２】
本考案の実施の形態に係る湾曲パイプ１について、図面にしたがって説明する。
図１〜図３は湾曲前の状態を示したものであり、符号３は丸パイプから成るパイプ本体を示し、このパイプ本体３は塑性曲げが可能な材料であるステンレススチールによって構成されている。
パイプ本体３の周面には、管厚方向に貫通するように切込まれて、複数の貫通部分、すなわち切込み部５が形成されている。切込み部５は、スリット形状の細長いものになっており、周方向に延びている。切込み部５は周方向のほぼ全体にわたって延びており、その両端をなす一対の切込み端７、７は近接している。この切込み端７、７の間が連携部９となっており、切込み部５はこの連携部９を介してその余のパイプ本体３側と軸方向で連携している。
【００１３】
また、切込み部５の軸方向の幅寸法は一定ではなく、連携部９から離れるにつれて緩やかに大きくなっており、径方向反対側で最も大きくなっている。軸方向両側に均等に膨らんでおり、若干菱形に近いスリット形状になっている。
このスリット形状を画定するために、切込み部５の２つの切込み端７、７の間で２つの切込み縁１１、１１が周方向に延びており、これら２つの切込み縁１１、１１は軸方向で互いに対向している。
なお、軸方向両端側の切込み部５、５については、両端側の切込み縁１１は膨らんでおらず、軸方向に垂直に伸びているが、以下の説明では区別する必要がないため、全ての切込み縁に共通の符号「１１」が使用されている。
【００１４】
複数の切込み部５は、各々の連携部９が軸方向に整列した状態で配置されており、連携部９、９、‥‥の径方向反対側で切込み部５、５、‥‥の幅寸法が最も大きくなっている。
この径方向反対側に、ズレ止め用係合部１３が設けられている。１つの切込み部５の有する２つの切込み縁１１、１１のうち一方に凸部１５が形成されている。この凸部１５は切込み縁１１から舌状に延出した延出片で構成されており、延出元のパイプ本体３との間に段差は無い。他方に凹部１７が形成されている。この凹部１７は切込み縁１１から内方に向かって切込まれて構成されている。従って、凸部１５と凹部１７は切込み部５を挟んで軸方向に対向している。
このように、１つの切込み部５に対して、凸部１５と凹部１７の組合せでなるズレ止め用係合部１３が１つ設けられており、切込み部５の数だけズレ止め用係合部１３が存在する。このズレ止め用係合部１３、１３、‥‥は軸方向に整列した状態で配置されている。
【００１５】
このパイプ本体３の中空部分には複数の切込み部５が形成された範囲に弾性変形部材としてのシリコーン樹脂１９（図５）が充填収容されている。シリコーン樹脂１９を充填するにはパイプ本体３の一端側を閉鎖し、他端側からノズルを挿入し、このノズルからシリコーン樹脂１９を流動状態で吐出させて充填する。シリコーン樹脂１９は吐出後は流動性が無くなると共に弾性変形可能な状態となる。
【００１６】
湾曲パイプ１は、上記のように構成されており、現場に持ち込んでその場で人の手で容易に湾曲させることができる。
図４〜図６が湾曲した状態を示しており、パイプ本体３の周面のうち伸長側に連携部９、９、‥‥が整列している。切込み部５、５、‥‥は閉じられており、対向していた切込み縁１１、１１は管厚方向で当接している。
また、パイプ本体３の周面のうち収縮側では、切込み部５が閉じられることに伴い、凸部１５と凹部１７が接近し、最終的には凸部１５が凹部１７に入り込んで係合している。パイプ本体３の管厚は十分であり、この係合により周方向には移動不能になっているので、ねじり方向に大きな力を受けてもズレて変形することが阻止される。
【００１７】
当接した切込み縁１１、１１の間には係合部分も含めて殆ど段差はできない。また、パイプ本体３の中空部分にはシリコーン樹脂１９が充填されているので湾曲しても潰れ難くなっている。従って、手摺り等で使用して手で触っても違和感の無いものとなっている。
なお、切込み部５の数やサイズは調整可能であり、湾曲の角度を種々に設定することができる。すなわち、この湾曲パイプ１では殆ど垂直に湾曲させているが、鈍角や鋭角に湾曲させることも可能になっている。
【００１８】
図７は、この湾曲パイプ１を室内の壁面のコーナー部Ｃに取付ける手摺りのコーナー具として使用した例を示す。
手摺りは直状のパイプ部材Ｐによって主に構成されており、垂直に交差する二つの壁面にそれぞれパイプ部材Ｐが取付け金具Ｔを介して取付けられている。この二つのパイプ部材Ｐ、Ｐを連結するものとして、湾曲パイプ１が使用されている。
パイプ部材Ｐの端部には湾曲パイプ１に嵌り込む小径部Ｐ（ａ）が設けられており、この小径部Ｐ（ａ）に湾曲パイプ１の一端部が外嵌されて連結されている。
このようにして、壁面のコーナー部Ｃでも連続した手摺りが完成する。
【００１９】
以上、本考案の実施の形態について詳述してきたが、具体的構成は、この実施の形態に限られるものではなく、本考案の要旨を逸脱しない範囲における設計の変更などがあっても考案に含まれる。
例えば、パイプ本体を構成する材料はステンレススチールの他、アルミニウム合金等の他の金属、或いは合成樹脂であってもよいのは勿論である。更に、弾性変形部材はシリコーン樹脂以外の合成ゴム等で構成してもよい。
【産業上の利用可能性】
【００２０】
壁面のコーナー部は種々の角度に設定されており、手摺りもそれに対応して湾曲させる必要があるが、本考案の湾曲パイプは種々の角度に対応できることから、手摺りのコーナー具が有望な用途の一つになっている。
【符号の説明】
【００２１】
１…湾曲パイプ          ３…パイプ本体        ５…切込み部        ７…切込み端
９…連携部            １１…切込み縁        １３…ズレ止め用係合部
１５…凸部              １７…凹部            １９…シリコーン樹脂
Ｃ…室内の壁面のコーナー部                    Ｐ…パイプ部材
Ｐ（ａ）…パイプ部材の小径部                  Ｔ…取付け金具
【図１】
0003212209.tif 000003
【図２】
0003212209.tif 000004
【図３】
0003212209.tif 000005
【図４】
0003212209.tif 000006
【図５】
0003212209.tif 000007
【図６】
0003212209.tif 000008
【図７】
0003212209.tif 000009